(57)【特許請求の範囲】
【請求項１】
機構板の裏面一側に嵌入部を設けると共に他側に突条部を設け、前記突条部の後面に前後方向に長い通孔を開設してその奥端部に係合受部を設け、一方、景品球タンクの一側壁外面に前記嵌入部に差し込まれる差込片を突設すると共に他側壁外面には前記通孔に押し込まれ先端に前記係合受部に係止される係止爪を備えた弾性係止片を突設し、前記係止爪は前記景品球タンクの前記他側壁外面内に位置し、また、前記突条部の後面に後側へ突出するガイドピンを設け、前記弾性係止片の基端部に前面が開口して前記ガイドピンが嵌入する支持筒部を設けてなり、
前記景品球タンクの差込片を前記嵌入部に差し込んだまま前記弾性係止片を前記係合受部側に押圧しその係止片を前記係合受部に弾性係止させ、かつ前記支持筒部に前記ガイドピンを嵌入させることにより前記景品球タンクを前記機構板に対して着脱自在に取着するようにしたことを特徴とするパチンコ機における景品球タンクの取付構造。
【発明の詳細な説明】
【０００１】
【産業上の利用分野】
本発明は、パチンコ機における景品球タンクの取付構造の改良に関するものである。
【０００２】
【従来の技術】
従来、パチンコ機の機構板に対する景品球タンクの取付構造としては例えば特開平５−１４６５４６号公報に開示されるものが有る。この構造は、図６に示すように、合成樹脂製の機構板１００の裏面一側に嵌入部１０１が設けられると共に、他側には係止爪１０３を備えた弾性係止片１０２が一体に設けられ、一方、景品球タンク１０４の一側に差込片１０５が設けられると共に、他側には係合受部１０７を有する係合片１０６が設けられている。そして、景品球タンク１０４の差込片１０５を嵌入部１０１に差込んだまま、係合片１０６を弾性係止片１０２にその弾発力に抗して押圧し、係止爪１０３を係合片１０６の係合受部１０７に弾発係止することにより景品球タンク１０４を取付けるようにしている。
【０００３】
【発明が解決しようとする課題】
ところで、係合片１０６を弾性係止片１０２に押圧する際、弾性係止片１０２が過度の曲げ力を受け不意に根元から折れるといった破損事故が時々生じていた。しかしながら、該弾性係止片１０２は機構板１００と一体に形成されているため、破損すると機構板１００全体が使用不能となり、このため新しいものと交換しなければならないが、機構板１００全体を交換することは経済的損失が大きいばかりでなく、その交換作業にも面倒な手間と多くの無駄な時間を要するといった課題が有った。
そこで、本発明は上記課題を解決すべくなされたもので、経済的損失を少なくすると共に交換作業も簡単に行えるパチンコ機における景品球タンクの取付構造を提供することを目的とする。
【０００４】
【課題を解決するための手段】
かかる目的を達成するため、本発明のパチンコ機における景品球タンクの取付構造は、機構板の裏面一側に嵌入部を設けると共に他側に突条部を設け、突条部の後面に前後方向に長い通孔を開設してその奥端部に係合受部を設け、一方、景品球タンクの一側壁外面に前記嵌入部に差し込まれる差込片を突設すると共に他側壁外面には前記通孔に押し込まれ先端に前記係合受部に係止される係止爪を備えた弾性係止片を突設し、前記係止爪は景品球タンクの前記他側壁外面内に位置し、また、前記突条部の後面に後側へ突出するガイドピンを設け、前記弾性係止片の基端部に前面が開口してガイドピンが嵌入する支持筒部を設けてなり、前記景品球タンクの差込片を前記嵌入部に差し込んだまま前記弾性係止片を前記係合受部側に押圧しその係止片を前記係合受部に弾性係止させ、かつ前記支持筒部にガイドピンを嵌入させることにより景品球タンクを機構板に対して着脱自在に取着するようにした構成からなる。
【０００５】
【作用】
景品球タンク側に係止爪を備えた弾性係止片を突設し、機構板側に設けた係合受部に前記弾性係止片を押圧し、その係止爪を係合受部に弾発係止するようにしたので、仮に前記弾性係止片が折れるなどして破損しても景品球タンクのみを新しいものと交換すれば良く、経済的であり、しかもその交換作業も簡単に行なえる。
【０００６】
【実施例】
以下本発明に係る景品球タンクの取付構造の一実施例を図面と共に説明する。図１はパチンコ機の裏面図であり、１はパチンコ機の機枠、２はその機枠１の前面一側に開閉可能に装着される前面枠である。前面枠２の裏面には取付枠３を介して遊技盤４が着脱自在に装着される。また、取付枠３の一側には機構板５が回動自在に装着される。更に、該機構板５の裏面には本発明に係る景品球タンク６，導出樋７，景品球排出装置８及び入賞球制御ユニット９等の一連の裏機構が装着されている。
【０００７】
図２は景品球タンク６を機構板５に取付けた状態を示す要部斜視図、図３は景景品球タンク６を機構板５から取外した状態を示す要部斜視図であり、これら機構板５及び景品球タンク６は合成樹脂によつて形成されている。前記機構板５の裏面上部には図３に示すように景品球タンクの収容凹部１０が形成されている。この収容凹部１０は、景品球タンク６を機構板５に取着する際に景品球タンク６の後半部分を嵌合して位置決めすると共に、両側と底部を支える機能を有する。
【０００８】
しかして本発明では、機構板５の裏面であって収容凹部１０の右側位置に、左側面が開口した袋状の嵌入部１１が設けられ、収容凹部１０の左側位置に突条部１２が形成されると共に、該突条部１２の後面に通孔１３が開設されている。該通孔１３は図４に示すように前後方向に長く形成され、その奥端部に係合受部１４が設けられている。また、突条部１２の後面には通孔１３の上下両側縁に後方へ突出する一対のガイドピン１５，１５が設けられている。
【０００９】
一方、景品球タンク６の右側壁６ａ外面に前記嵌入部１１に差込む差込片１６が設けられると共に、左側壁６ｂ外面には先端に外向きの係止爪１８を備えた弾性係止片１７が前方へ突設されている。該弾性係止片１７は、その弾発力に抗して前記通孔１３に押し込まれ、その先端の係止爪１８が係合受部１４に係止されるようになっている。また、前記係止爪１８は景品球タンク６の左側壁６ｂ外面内に位置し、弾性係止片１７の基端部両側に前面が開口した一対の支持筒部１９，１９が設けられている。
なお、前記差込片１６及び支持筒部１９，１９の前面は、景品球タンク６の後壁６ｃを収容凹部１０の奥壁に当接させた状態で機構板５の表面に密着するようにその位置が選ばれる。
【００１０】
本発明は上記構成からなり、景品球タンク６右側の差込片１６を収容凹部１０右側に設けられた嵌入部１１に差し込み、このまま景品球タンク６左側の弾性係止片１７を収容凹部１０左側の通孔１３内に押し込み、その係止爪１８を通孔１３奥端の係合受部１４に弾発係止する。この際、図５に示すように両ガイドピン１５，１５が各支持筒部１９，１９に嵌入して合致するので、係止爪１８の係止と共に景品球タンク６がぐらついたり位置ずれを起すようなことはなくしっかりと固定される。
【００１１】
また、機構板５から景品球タンク６を取り外すには、係止爪１８の係合受部１４からの係止を解き、景品球タンク６を後方へ引き出すことにより行う。これにより、景品球タンク６が機構板５に対しビス止めなどの手段を必要とせず、しかも着脱自在に取着されることとなる。
【００１２】
【発明の効果】
以上述べたように本発明に係るパチンコ機における景品球タンクの取付構造では、機構板側に係合受部を設けると共に、該係合受部に係止される弾性係止片を景品球タンク側に設けるようにしたので、仮に弾性係止片が破損しても景品球タンクのみを新しいものと交換すれば良く、経済的であり、しかもその交換作業は簡単に行なえるという利点を有する。
【図面の簡単な説明】
【図１】  パチンコ機の裏面正面図。
【図２】  景品球タンクの取付状態を示す要部斜視図。
【図３】  景品球タンクを取外した状態を示す要部斜視図。
【図４】  景品球タンクの取付状態を示す要部断面図。
【図５】  景品球タンクの取付状態を示す要部断面図。
【図６】  従来の景品球タンクと機構板との関係を示す斜視図。
【符号の説明】
５          機構板
６          景品球タンク
６ａ        一側壁
６ｂ        他側壁
１１        嵌入部
１２        突条部
１３        通孔
１４        係合受部
１５        ガイドピン
１６        差込片
１７        弾性係止片
１８        係止爪
１９        支持筒部
【図１】
0004030072.tif 000002
【図２】
0004030072.tif 000003
【図３】
0004030072.tif 000004
【図４】
0004030072.tif 000005
【図５】
0004030072.tif 000006
【図６】
0004030072.tif 000007